(57)【要約】【課題】便器等に設置される機器本体とリモコンとに識別コードが容易に設定され、複数のリモコン操作式機器での混信が防止されるリモコン操作式機器を提供する。【解決手段】温水洗浄装置本体の電源プラグを差し込むと、この温水洗浄装置は所定時間識別コード記憶モードにおかれる。メインリモコン２１の特定のスイッチ（例えばシャワースイッチ）が所定回数（例えば５回）以上連続して繰り返し操作されると、該リモコンからの信号が制御部６１において記憶開始指令信号として認識され、当該リモコン信号に含まれる種類コードＤと識番コードＥ１とが各記憶部６２，６３に設定される。サブリモコン３１の特定のスイッチ（例えばシャワースイッチ）を所定回数以上連続して押すと、同様にして各記憶部６２，６３に種類コードＦと識番コードＧ１とが設定される。通常の便器使用に際しては、リモコンから送られてくる信号中に（Ｄ，Ｅ１）又は（Ｆ，Ｇ１）が含まれていると、第１ブース１１の機器本体のみが動作する。【選択図】図１
2007239266.tif 000002
【特許請求の範囲】
【請求項１】
リモコンと、該リモコンによって操作される機器本体とを備えてなるリモコン操作式機器であって、
該機器本体には、対応可能なリモコンの各種類コード及び各種類コードに対応する識別コードの記憶部が設けられており、
該リモコンは、該操作スイッチが操作されたときに種類コード及び識別コード信号と操作信号とを発信するものであり、該リモコンからの信号中の種類コード及びその種類コードに対応する識別コードが該記憶部に記憶されたコードと合致する場合に該機器本体が操作されるリモコン操作式機器において、
該リモコンは、種類コードを特定するための信号と識別コードを設定するための信号とを発信可能であることを特徴とするリモコン操作式機器。
【請求項２】
請求項１において、該機器本体は便器に設置される温水洗浄装置であり、
前記リモコンとして、該温水洗浄装置のすべての機能を操作可能なメインリモコンと、該温水洗浄装置の一部の機能を操作可能なサブリモコンとを有することを特徴とするリモコン操作式機器。
【請求項３】
請求項１において、該機器本体は便器に設置される温水洗浄装置と、温水洗浄装置とは異なる便器電装品とであり、
前記リモコンとして、該温水洗浄装置を操作するためのメインリモコンと、該温水洗浄装置以外の便器電装品を操作するためのサブリモコンとを有することを特徴とするリモコン操作式機器。
【請求項４】
請求項３において、該便器電装品は、フラッシュ装置、便座開閉装置、便座昇降装置、又は便蓋開閉装置であることを特徴とするリモコン操作式機器。
【請求項５】
請求項１ないし４のいずれか１項において、該記憶部は、該機器本体に電源が供給されてから所定時間の間にのみリモコン信号によって識別コードを記憶するよう構成されていることを特徴とするリモコン操作式機器。
【請求項６】
請求項１ないし４のいずれか１項において、該記憶部は、前記リモコンからの記憶開始信号を受けてから最初のリモコン信号に含まれる識別コードを記憶するよう構成されていることを特徴とするリモコン操作式機器。
【発明の詳細な説明】
【技術分野】
【０００１】
本発明は、リモコンによって機器本体を操作するよう構成したリモコン操作式機器に係り、例えばトイレルームに設置される温水洗浄装置などに適用されるリモコン操作式機器に関する。詳しくは、複数のトイレブース内にそれぞれリモコン操作式温水洗浄装置が設置されている場合において、１つのブースのリモコンが当該ブースの温水洗浄装置のみを作動させ、他ブースの温水洗浄装置は動作させないようにする場合に好適なリモコン操作式機器に関する。さらに詳しくは、本発明は、この温水洗浄装置及びその操作用のメインリモコンに加え、さらに付加的なサブリモコンを有している場合に好適なリモコン操作式機器に関する。
【背景技術】
【０００２】
Ｉ．温水洗浄装置は、便器使用者の臀部を温水で洗浄したり、必要に応じ、その後、温風によって該臀部を乾燥させたりするよう構成されている。
【０００３】
デパート、オフィスビル、学校など、トイレルーム内に複数のブースが区画形成され、各ブース内の便器にそれぞれリモコン操作式温水洗浄装置が設置されている場合、あるブースのリモコンを操作したときにその信号により他ブースの温水洗浄装置も作動する（以下、リモコンの混信ということがある。）ことがあったのでは不便である。そこで、このように複数ブースにそれぞれ温水洗浄装置を設置した場合、各ブースのリモコンから操作信号と共に個別の識別コード信号を発信させると共に、各ブースの温水洗浄装置本体に特定の識別コードを予め設定しておき、リモコンからの識別コード信号が温水洗浄装置本体の識別コードと合致した場合にのみ当該温水洗浄装置本体が作動するよう構成することが提案されている（特開平１１−１４０９４４号公報）。
【０００４】
特開平１１−１４０９４４号公報の方式によると、例えば２個のブース内の便器にそれぞれ温水洗浄装置本体を設置し、各ブースにそれぞれリモコンを設置しておく。この場合、第１ブースの温水洗浄装置本体に識別コードＣ１を設定しておき、第２ブースの温水洗浄装置本体に識別コードＣ２を設定しておく。
【０００５】
一方、リモコンは、識別コード信号Ｃ１とＣ２とのいずれかを発信するようにコード切替スイッチが設けられており、第１ブースに設置されるリモコンについては信号Ｃ１を発信するようにスイッチを切り替え、第２ブースに設置されるリモコンについては信号Ｃ２を発信するようにスイッチを切り替えておく。
【０００６】
第１ブースのリモコンを操作すると、該リモコンから信号Ｃ１と操作信号（例えば臀部洗浄信号）とが発信される。このリモコン信号が第１ブースの温水洗浄装置本体に受信されると該第１ブースの温水洗浄装置本体は作動するが、第２ブースの温水洗浄装置本体に受信されてもコードが食い違うので第２ブースの温水洗浄装置本体は作動しない。
【０００７】
このようにして、各ブースのリモコンの混信が防止される。
【０００８】
この特開平１１−１４０９４４号では、温水洗浄装置本体のＲＯＭに識別コードを格納してある（同号公報第００１８段落）ため、識別コードの異なる温水洗浄装置本体を複数準備して、それぞれ混信することがないように設置する必要がある。
【０００９】
II．近年、リモコンのスイッチ操作によって便器の便鉢に便器洗浄水を流すようにしたリモコン式フラッシュ装置や、リモコン操作により便座を昇降させる便座昇降装置、リモコン操作によって便座や便蓋を開閉させるようにした便座、便蓋開閉装置などの便器電装品も設置されることが増えている。
【００１０】
このようなフラッシュ装置等の付加的な便器電装品を設けると、便器設備が高価となるので、付加的便器電装品を温水洗浄装置とは別売りとし、リモコンとして温水洗浄装置操作用のメインリモコンと、フラッシュ装置等を操作するためのサブリモコンとを別個に設置することも行われるようになってきている。
【００１１】
また、メインリモコンに各種のスイッチが設けられていて操作が分りにくかったり、スイッチ片が小さくて操作しにくい等の不便を解消するために、メインリモコンのスイッチのうちの基本的なスイッチのみ（例えば、洗浄スイッチとストップスイッチ）を備えたサブリモコンをメインリモコンとは別個に設置することも行われるようになってきている。
【００１２】
このようなサブリモコンを複数のトイレブースに設置する場合においても、各ブース間での混信を防ぐ必要がある。上記特開平１１−１４０９４４号に倣って、各ブースの付加的便器電装品とサブリモコンにそれぞれ識別コードを設定したのでは、ブースの数だけ識別コードの異なる付加的便器電装品及びサブリモコンを用意せざるを得なくなる。
【特許文献１】特開平１１−１４０９４４号公報
【発明の開示】
【発明が解決しようとする課題】
【００１３】
上記のように、トイレルーム内に複数のブースが区画形成され、各ブース内の便器に温水洗浄装置や便器電装品が設けられ、メインリモコンとサブリモコンを設置する場合、温水洗浄装置本体と付加的便器電装品とに、それぞれ同一の識別コードを設定することが必要となるが、全くミス設定することなく両者に同一の識別コード設定操作を施す必要があり、コード設定に相当に手間がかかる。仮に、ミスにより両者に設定された識別コードが異なったものとなってしまうと、動作不良となったり、混信を起こす恐れがある。
【００１４】
本発明は、便器等に設置される機器本体とリモコンとに識別コードが容易に設定され、複数のリモコン操作式機器での混信が防止されるリモコン操作式機器を提供することを目的とする。
【００１５】
本発明は、特にメインリモコンとサブリモコンのように複数のリモコンを設置する場合、識別コードを容易に設定することができるリモコン操作式機器を提供することを目的とする。
【課題を解決するための手段】
【００１６】
請求項１のリモコン操作式機器は、リモコンと、該リモコンによって操作される機器本体とを備えてなるリモコン操作式機器であって、該機器本体には、対応可能なリモコンの各種類コード及び各種類コードに対応する識別コードの記憶部が設けられており、該リモコンは、該操作スイッチが操作されたときに種類コード及び識別コード信号と操作信号とを発信するものであり、該リモコンからの信号中の種類コード及びその種類コードに対応する識別コードが該記憶部に記憶されたコードと合致する場合に該機器本体が操作されるリモコン操作式機器において、該リモコンは、種類コードを特定するための信号と識別コードを設定するための信号とを発信可能であることを特徴とするものである。
【００１７】
請求項２のリモコン操作式機器は、請求項１において、該機器本体は便器に設置される温水洗浄装置であり、前記リモコンとして、該温水洗浄装置のすべての機能を操作可能なメインリモコンと、該温水洗浄装置の一部の機能を操作可能なサブリモコンとを有することを特徴とするものである。
【００１８】
請求項３のリモコン操作式機器は、請求項１において、該機器本体は便器に設置される温水洗浄装置と、温水洗浄装置とは異なる便器電装品とであり、前記リモコンとして、該温水洗浄装置を操作するためのメインリモコンと、該温水洗浄装置以外の便器電装品を操作するためのサブリモコンとを有することを特徴とするものである。
【００１９】
請求項４のリモコン操作式機器は、請求項３において、該便器電装品は、フラッシュ装置、便座開閉装置、又は便蓋開閉装置であることを特徴とするものである。
【００２０】
請求項５のリモコン操作式機器は、請求項１ないし４のいずれか１項において、該記憶部は、該機器本体に電源が供給されてから所定時間の間にのみリモコン信号によって識別コードを記憶するよう構成されていることを特徴とするものである。
【００２１】
請求項６のリモコン操作式機器は、請求項１ないし４のいずれか１項において、該記憶部は、前記リモコンからの記憶開始信号を受けてから最初のリモコン信号に含まれる識別コードを記憶するよう構成されていることを特徴とするものである。
【発明の効果】
【００２２】
本発明のリモコン操作式機器では、リモコンからの操作信号に種類コードを持たせるとともに、リモコンと機器本体とに、同一の種類のリモコン同士を区別するための識別コードを設定することができる。
【００２３】
従って、例えば複数の各ブースにリモコンとしてメインリモコンとサブリコモンとを各ブースにそれぞれ設置した場合、任意のブースの温水洗浄装置に、当該ブースのメインリモコンからの信号のみを受け付けるようにするためのメインリモコン識別コードを設定し、且つ、当該ブースのサブリコモンからの信号のみを受け付けるようにするためのサブリモコン識別コードを設定することができる。
【００２４】
これにより、各ブース間での混信が確実に防止される。また、同一のブースにおいてもメインリモコンとサブリコモンとで別々の識別コードを設定でき、両者の識別コードを合致させる必要がない。このため、識別コードの設定が容易であり、誤設定のおそれもなくなる。
【００２５】
本発明は、特に、メインリモコンで温水洗浄装置のすべての機能を操作し、サブリコモンで温水洗浄装置の一部の代表的な機能を操作する場合に好適である。また、本発明は、メインリモコンで温水洗浄装置を操作し、サブリモコンで温水洗浄装置以外の便器電装品を操作する場合にも好適である。
【００２６】
本発明のリモコン操作式機器にあっては、例えば機器本体のプラグをコンセントに差し込んだり、あるいは機器本体の電源スイッチをＯＮにすること等により、識別コード記憶モードとし、この間にリモコンを操作することだけで、機器本体にこのリモコンの種類コードに対応する識別コードが設定、記憶されるようにしてもよい。
【００２７】
また、リモコンから与えられる記憶開始信号によって機器本体がリモコンの種類コードに対応する識別コード記憶モードとされ、設定作業者の識別コードを記憶させようとする主体的意思に基づいてのみ識別コード記憶作業が行われるように構成してもよい。
【発明を実施するための最良の形態】
【００２８】
以下、図面を参照して実施の形態について説明する。第１図は実施の形態に係るリモコン操作式機器としての温水洗浄装置を備えたトイレルームの平面図、第２図はブース内の斜視図、第３図は温水洗浄装置のブロック図である。
【００２９】
トイレルーム１０内に複数（この実施の形態では４室）のブース１１，１２，１３，１４が設けられている。各ブース１１〜１４内にそれぞれ洋風便器１が設置されている。
【００３０】
第２図の通り、洋風便器１の後部上面にタンクカバー２が設置され、このタンクカバー２の前面側に便座３及び便蓋４が起倒回動可能に取り付けられている。
【００３１】
タンクカバー２内には、人体臀部洗浄用の洗浄ノズルの他、温水タンク、該温水タンクから洗浄ノズルに温水を供給するためのポンプ、該ポンプからの温水を洗浄ノズルのいずれかに供給するための洗浄ノズル切替弁等が設けられている。これら洗浄ノズル、温水タンク、ポンプ及び切替弁により、洗浄装置６４（第３図参照）が構成されている。また、このタンクカバー２内には、臀部乾燥用温風ファン６５、便器洗浄用電動式フラッシュ装置６６や、これらの電気機器の制御回路（制御部）及びコード記憶部等が設けられている。
【００３２】
これらの電気機器は、商用電源によって駆動されるものであり、タンクカバー２からは、先端にプラグを備えたハーネスが引き出されている。このプラグをコンセントに差し込んでから所定時間（例えば５〜２０秒）の間は、記憶部が識別コード記憶モードに置かれる。
【００３３】
各ブース１１〜１４の壁面にリモコンとしてメインリモコン２１〜２４とサブリモコン３１〜３４がそれぞれ１個ずつ設置されている。これらのリモコン２１〜２４、３１〜３４はそれぞれ乾電池を電源とするものであり、裏面に乾電池の出入口が設けられている。
【００３４】
メインリモコン２１〜２４には、肛門洗浄用操作スイッチ（シャワースイッチ）、ビデ洗浄用操作スイッチ、温風を吹き出させるドライスイッチ、肛門洗浄（シャワー洗浄）、ビデ洗浄、温風乾燥等の作動をストップさせるストップスイッチが設置されている。
【００３５】
また、メインリモコン２１〜２４には、温水又は温風の温度を上昇させるスイッチと低下させるスイッチとが設けられていると共に、暖房便座の温度を調節するためのスイッチが設けられている。メインリモコン２１〜２４には、さらに、フラッシュ装置を操作するためのフラッシュスイッチ、洗浄の広がりを調整するためのワイド洗浄入／切スイッチ、洗浄位置前進スイッチ、その後退スイッチ、便座の温度を調整するための便座温度調節スイッチが設けられている。
【００３６】
サブリモコン３１〜３４には、シャワースイッチ、ビデスイッチ、ストップスイッチ及びフラッシュスイッチのみが設けられている。サブリモコン３１〜３４の各スイッチは、メインリモコン２１〜２４のものよりも大型で且つ文字やマークも大きく表示してある。
【００３７】
メインリモコン２１〜２４及びサブリモコン３１〜３４は、信号を赤外線又は電波によってタンクカバー２に向けて発信する。この発信信号には、種類コード信号、識番コード信号及び制御内容信号が含まれている。
【００３８】
この種類コードは、メインリモコンであるか、サブリモコンであるか等リモコンの種類を示すものである。識別コードはリモコン種類コード毎に設定が可能であり、第１ないし第４のうちいずれのブースに設置されたものであるかを示すものとなる。
【００３９】
この実施の形態では、メインリモコン２１〜２４のいずれにおいても、乾電池を取り外した後、シャワースイッチを押した状態で乾電池を装着すると、そのメインリモコンに識番コードＥ１が設定される。
【００４０】
同様に、乾電池を取り外した後、ビデスイッチを押した状態で乾電池を装着すると、そのメインリモコンに識番コードＥ２が設定される。乾電池を取り外した後、ストップスイッチを押した状態で乾電池を装着すると、そのメインリモコンに識番コードＥ３が設定される。乾電池を取り外した後、フラッシュスイッチを押した状態で乾電池を装着すると、そのメインリモコンに識番コードＥ４が設定される。
【００４１】
なお、この識番コード設定操作を行わないときには、メインリモコンには識番コードＥ１が設定されている。
【００４２】
この実施の形態では、サブリモコン３１〜３４のいずれにおいても、乾電池を取り外した後、シャワースイッチを押した状態で乾電池を装着すると、そのサブリモコンに識番コードＧ１が設定される。
【００４３】
同様に、乾電池を取り外した後、ビデスイッチを押した状態で乾電池を装着すると、そのメインリモコンに識番コードＧ２が設定される。乾電池を取り外した後、ストップスイッチを押した状態で乾電池を装着すると、そのメインリモコンに識番コードＧ３が設定される。乾電池を取り外した後、フラッシュスイッチを押した状態で乾電池を装着すると、そのメインリモコンに識番コードＧ４が設定される。
【００４４】
なお、この識番コード設定操作を行わないときには、メインリモコンには識番コードＧ１が設定されている。
【００４５】
これらのコードＤ，Ｅ１〜Ｅ４，Ｆ，Ｇ１〜Ｇ４としては、後述のように０，１，２，３などの数値が好適であるが、これに限定されない。
【００４６】
この実施の形態では、メインリモコン２１に識番コードＥ１を設定し、メインリモコン２２に識番コードＥ２を設定し、メインリモコン２３に識番コードＥ３を設定し、メインリモコン２４に識番コードＥ４を設定し、サブリモコン３１に識番コードＧ１を設定し、サブリモコン３２に識番コードＧ２を設定し、サブリモコン３３に識番コードＧ３を設定し、サブリモコン３４に識番コードＧ４を設定したものとする。
【００４７】
乾電池を装着し、識番コードを設定し終わった通常状態において、メインリモコン２１のシャワースイッチを押すと、
［種類コードＤ］＋［識番コードＥ１］＋［シャワー開始信号］
を含んだ信号が発信される。ビデスイッチを押すと、
［種類コードＤ］＋［識番コードＥ１］＋［ビデ開始信号］
を含んだ信号が発信される。ストップスイッチを押すと、
［種類コードＤ］＋［識番コードＥ１］＋［停止信号］
を含んだ信号が発信される。フラッシュスイッチを押すと、
［種類コードＤ］＋［識番コードＥ１］＋［フラッシュ動作信号］
を含んだ信号が発信される。これら以外の操作スイッチを押したときも、同様に、
［種類コードＤ］＋［識番コードＥ１］＋［操作内容信号］
を含んだ信号が発信される。
【００４８】
同様に、通常状態において、サブリモコン３１のシャワースイッチを押すと、
［種類コードＦ］＋［識番コードＧ１］＋［シャワー開始信号］
を含んだ信号が発信される。ビデスイッチを押すと、
［種類コードＦ］＋［識番コードＧ１］＋［ビデ開始信号］
を含んだ信号が発信される。ストップスイッチを押すと、
［種類コードＦ］＋［識番コードＧ１］＋［停止信号］
を含んだ信号が発信される。フラッシュスイッチを押すと、
［種類コードＦ］＋［識番コードＧ１］＋［フラッシュ動作信号］
を含んだ信号が発信される。
【００４９】
メインリモコン２２〜２４、サブリモコン３２〜３４も、識番コードがＥ２〜Ｅ４、Ｇ２〜Ｇ４となるほかは、同様の信号を発信するものである。
【００５０】
第３図の通り、タンクカバー２には、この信号を受信する信号受信部６０が設けられている。また、該タンクカバー２内の回路基板上の回路には、制御部６１と、種類コードの記憶部６２と、種類コードに対応してそれぞれ設定が可能な識番コードの記憶部６３とが設けられている。
【００５１】
なお、信号受信部６０、制御部６１、コード記憶部６２，６３、洗浄装置６４、温風ファン６５、フラッシュ装置６６によって機器本体５１〜５４（５２〜５４は図中に記載なし。）が構成されている。機器本体５１は第１ブースの便器に設置され、機器本体５２は第２ブースの便器に設置され、機器本体５３は第３ブースの便器に設置され、機器本体５４は第４ブースの便器に設置されている。
【００５２】
このように構成された温水洗浄装置を有した便器設備の使用方法について次に説明する。
【００５３】
第１ブース１１において、この温水洗浄装置のプラグをコンセントに差し込み、タンクカバーの後面に設けられた電源スイッチをＯＮにすると、この機器本体は所定時間（例えば５〜２０秒）、識別コード記憶モードにおかれる。
【００５４】
この識別コード記憶モードにある間にメインリモコン２１の特定のスイッチ（例えばシャワースイッチ）が所定回数（例えば５回）以上連続して繰り返し操作されると、該リモコンからの信号が制御部６１において記憶開始指令信号として認識され、当該リモコン信号に含まれる種類コードＤと識番コードＥ１とが各記憶部６２，６３に設定される。
【００５５】
また、この識別コード記憶モードにある間に、サブリモコン３１の特定のスイッチ（例えばシャワースイッチ）を所定回数以上連続して押すと、同様にして各記憶部６２，６３に種類コードＦと識番コードＧ１とが設定される。
【００５６】
このようにして、第１ブース１１の便器の機器本体には、リモコンからの制御信号を見分けるための識別コードとして、（Ｄ，Ｅ１）のペアと、（Ｆ，Ｇ１）のペアとが設定される。
【００５７】
後述の通り、通常の便器使用に際して、リモコンから送られてくる信号中に（Ｄ，Ｅ１）のコード信号が含まれていると、この信号はメインリモコン２１からのものであると識別され、シャワー動作等が実行される。リモコン信号中に（Ｆ，Ｇ１）のペアが含まれているときも、サブリモコン３１からの信号であると識別され、シャワー動作等が実行される。
【００５８】
上記のように、この識別コード記憶モードにある間にリモコン２１の特定のスイッチを所定回数以上連続して繰り返し操作した場合に限り当該信号中の識別コードを変更し、新たな識別コードとして記憶する（上書きする）のは、他の温水洗浄装置本体を操作すべく他のリモコンが操作され、当該他のリモコンからの信号が信号受信部６０に到達しても、その中の識別コードを記憶させないようにするためである。リモコン２１，３１の特定のスイッチを複数回連続して操作することは、通常のリモコン操作の場合には殆どあり得ないので、上記記憶手順によれば確実に正しい識別コードを記憶させることができる。
【００５９】
なお、識別コード記憶モードにある期間内にリモコン２１，３１から信号が入力されない場合は、電源投入から前記所定時間が経過した後、識別コード記憶モードを終了させる。この場合、識別コード記憶部６３，６４には、コード（Ｄ，Ｅ１），（Ｆ，Ｇ１）が設定されるものとする。
【００６０】
第１ブース１１でのコード設定が終了した後、第２ブース１２〜第４ブース１４でのコード設定を順次に同様にして行う。これにより、第２ブース１２の便器の機器本体には、識別コードとして（Ｄ，Ｅ２）のペアと、（Ｆ，Ｇ２）のペアが設定され、第３ブース１３の機器本体では識別コードとして（Ｄ，Ｅ３）のペアと、（Ｆ，Ｇ３）のペアが認定され、第４ブース１４の機器本体では（Ｄ，Ｅ４）のペアと、（Ｆ，Ｇ４）のペアとが設定される。
【００６１】
このように全ブースの機器本体にコード設定した後は、各ブース１１〜１４の便器を通常通りに使用することができる。
【００６２】
第１ブース１１でメインリモコン２１のスイッチを操作すると、［Ｄ＋Ｅ１＋操作信号］を含む信号がメインリモコン２１から発信される。この信号を受信した制御部６１は、記憶部６２，６３の設定コードと対照する。［Ｄ＋Ｅ１］は第１ブース１１の機器本体にのみ設定されているので、この信号が第２〜第４ブースで受信されても、第２〜第４ブースでは機器本体の動作が実行されない。第１ブース１１の制御部６１のみ、記憶部６２，６３の設定コードと合致するので、第１ブース１１のメインリモコン２１からの信号であることを識別し、操作信号に従った動作を実行する。
【００６３】
サブリモコン３１のスイッチ操作を行ったときも、コードのペア（Ｆ，Ｇ１）が設定されている第１ブース１１の機器本体のみが動作を実行し、他のブース１２〜１４では、サブリモコン３１の信号を受信したとしても、本体の記憶部のサブリモコンの種類コードに対応する識別コードが異なるので、動作を実行しない。
【００６４】
他のブース１２〜１４においても、そのブースのメインリモコン又はサブリモコンを操作した場合のみ、そのブースの機器本体の動作が実行され、他のブースの機器本体は動作しない。
【００６５】
このようにして、ブース相互間でリモコンの混信が防止される。
【００６６】
この実施の形態では、メインリモコン２１とサブリモコン３１とで別個の種類コードをもつと共にそれぞれ種類コードに対応する識別コードを設定する。従って、従来のように、メインリモコン２１で設定したものと同一の識別コードを当該ブースのサブリモコンで設定する必要がない。本実施の形態では、メインリモコン２１〜２４で互いに別の識別コードＥ１〜Ｅ４を設定し、サブリモコン３１〜３４で互いに別の識別コードＧ１〜Ｇ４を設定するだけでよく、設定操作が簡単である。
【００６７】
なお、コードを０，１，２，３，４の数値を用いて表した場合、コード（Ｄ，Ｅ１）〜（Ｄ，Ｅ４）と（Ｆ，Ｇ１）〜（Ｆ，Ｇ４）の組み合わせ例を次に示す。
【００６８】
［組み合わせ例１］
第１ブース，メインリモコン（Ｄ，Ｅ１）＝（０，０）
サブリモコン（Ｆ，Ｇ１）＝（１，０）
第２ブース，メインリモコン（Ｄ，Ｅ２）＝（０，１）
サブリモコン（Ｆ，Ｇ２）＝（１，３）
第３ブース，メインリモコン（Ｄ，Ｅ３）＝（０，２）
サブリモコン（Ｆ，Ｇ３）＝（１，１）
第４ブース，メインリモコン（Ｄ，Ｅ４）＝（０，３）
サブリモコン（Ｆ，Ｇ４）＝（１，２）
【００６９】
［組み合わせ例２］
第１ブース，メインリモコン（Ｄ，Ｅ１）＝（０，０）
サブリモコン（Ｆ，Ｇ２）＝（１，３）
第２ブース，メインリモコン（Ｄ，Ｅ２）＝（０，１）
サブリモコン（Ｆ，Ｇ１）＝（１，０）
第３ブース，メインリモコン（Ｄ，Ｅ３）＝（０，２）
サブリモコン（Ｆ，Ｇ４）＝（１，２）
第４ブース，メインリモコン（Ｄ，Ｅ４）＝（０，３）
サブリモコン（Ｆ，Ｇ３）＝（１，１）
【００７０】
上記実施の形態では、サブリモコンとして、特定のスイッチを大型化した所謂大型リモコンを用いているが、本発明はこれに限定されるものではない。
【００７１】
例えば、電動フラッシュ装置を便器に後付けし、フラッシュ操作専用のリモコン（サブリモコン）を温水洗浄操作用リモコン（メインリモコン）と別個に後付けする場合にも、上記と同様に、リモコン種類コードに対応する識別コードの設定を行うようにすることができる。
【００７２】
なお、本発明では、種類コードを含まず、識番コード及び操作信号のみを含む信号を受信した場合には、この識番コードを有した機器本体が、そのブースのメインリモコンからの信号として当該信号を受け付け、その中の操作信号の内容に従った動作を行わせてもよい。
【００７３】
例えば、上記第１の組み合わせ例で、信号（−，０）と操作信号との組み合わせが受信される場合（なお、−は種類コードが無いことを示す。）には、第１ブースで該操作信号に従った動作が実行され（−，１）と操作信号の組み合わせが受信される場合は、第２ブースで該動作が実行される。（−，２），（−，３）の場合も、それぞれ第３ブース、第４ブースでのみ動作が実行されるようにする。
【００７４】
上記実施の形態では、電源プラグを差し込むことにより識別コード記憶モードを開始させるようにしているが、電源スイッチのＯＮにより識別コード記憶モードを開始させるようにしてもよく、リモコンのスイッチ操作により識別コード記憶モードを開始させてもよい。後者の場合、記憶モード設定専用のスイッチを設けてもよいが、温水洗浄装置操作用の特定の複数のスイッチを同時に押す（好ましくは複数回連続して繰り返し押したり、連続して長押しする）ことにより、識別コード記憶モードが設定されるようにしてもよい。
【図面の簡単な説明】
【００７５】
【図１】実施の形態に係るリモコン操作式機器としての温水洗浄装置を備えたトイレルーム内の平面図である。
【図２】トイレブースの斜視図である。
【図３】機器のブロック図である。
【符号の説明】
【００７６】
１１〜１４  トイレブース
２１〜２４  メインリモコン
３１〜３４  サブリモコン
６０  信号受信部
６１  制御部
６２，６３  識別コード記憶部
【図１】
2007239266.tif 000003
【図２】
2007239266.tif 000004
【図３】
2007239266.tif 000005